(57)【要約】【課題】予想されている東海、東南海地震などといってもいつ何時来るか予知、予測できない現状では、早急に対策を講じる事を必要とし、減災に役立ち、小型、簡便で既存の家具等にも設置可能なロック装置であること【解決手段】いつ何時、地震等が発生するのか予知、予測できない現状では、常日ごろから扉、引き出しの開閉の都度ロックされる構造、構成であって、常時ロックされている状態が望ましく、あらためてロックするなどと手間の掛からないロック装置、また既存の前記家具等に後付け可能なロック装置を、家具等のデザイン及び機能を損なわずに、容易に設置できるシンプルな小型ロック装置を、最少の部品点数で提供する。【選択図】図５
2006314364.tif 000002
【特許請求の範囲】
【請求項１】
次の構造、構成からなる食器棚、家具箪笥等の扉、引き出し用のロック装置。
ロック装置本体を扉、引き出しの表板内側から装着、ロック装置本体から突出し、扉、引き出しの表板を貫通、延伸しているロック軸と扉、引き出しの表板外側に装着されている取っ手ツマミ（又はレバー）とを連結固定し、前記取っ手ツマミ（又はレバー）を操作することによって、常時係止されている状態のロックが解除される構造、構成の食器棚、家具箪笥等の、扉、引き出し用のロック装置であって
本体ケース１は、ロック軸頭部の回動スペースとフック軸摺動溝スペースを有し、本体ケース２には、本体ケース１腹部平面に対しT字状に突出しているロック軸を挿通、貫通回動可能の筒部を有し、本体ケース１、２を合体した時、ロック軸下部にフック軸摺動溝、函を構成してロック装置本体の外形を構成する
本体ケース１には、円板の一部1/4程度を切欠きされたロック軸頭部を中央に配置、前記1/4の切欠き部にフック軸のストッパー部を噛み合う形に当接し、ロック軸頭部の回動によりフック軸を移動、摺動することでロックを解除する仕組みであって、前記ロック軸頭部のサイドから下部方向にかけてフック軸摺動溝を設け、他方前記フック軸のストッパー部と当接して本体ケース１との間にフック軸戻し用のスプリングを配置、装着している
前記フック軸の軸部形状は基本的には直方体で、その先端部の爪部分の側断面は緩やかな弧を描いたテーパー状に切削されており、扉、引き出しを閉じる時のフック軸の摺動を軽く滑らかにする。またフック軸の爪部分の断面はフック軸全厚みの程度一部2/5程度が切欠きされており、そのことによって、扉、引き出しの収納側本体の桟等に装着される座金のフック部爪係止用凹孔スペースの外枠、幅員を確保している
本体ケース２は、前記本体ケース１に対応、前記1/4程度を切欠きされた円板状ロック軸頭部を有するロック軸を挿通、回動出来て、貫通する筒部を有し、前記ロック軸は３段階の太さで、前記1/4を切欠きされたロック軸頭部を最大径とし、前記筒部を最少径で、中間径部分は前記筒部の本体ケース１側にあって前記筒部をストッパーとなし、ロック軸に戻し回転力を与えるスプリングを装着している
他方ロック装置本体から、扉、引き出しの表板を貫通し、本体ケース２の筒部から突出するロック軸の中央に雌螺旋及び空回り止め突起を設け、取っ手ツマミ（又はレバー）をビスで取付け固定し、ロック軸と連結、連動してロック解除の操作を可能とする
一方、扉、引き出しの収納側本体の桟等には、前記扉、引き出しを閉じた時に、ロック装置本体から突出しているフック軸爪部分で係止、当接部となる位置にフック部爪係止用凹孔を有する座金を装着、前記収納側本体の桟等に傷がつくのを予防すると同時に補強する
【発明の詳細な説明】
【技術分野】
【０００１】
本発明は、地震等による大きな揺れ、振動、衝撃による食器棚、家具、箪笥等のドア開放、引き出しなどの飛び出しを防止するためのロック装置に関するものである。
【背景技術】
【０００２】
後記記載の文献のように従来の技術は、地震等による大きな揺れ、振動、衝撃などの動力によって、また発生して初めて稼働する構造、構成のものが知られている。
【０００３】
また都度、開閉用ロックとして、玄関ドア等に採用されているものが知られているが、最近の食器棚、引き出しの多くは、その扉、引き出しの表板部分が古来のように食器棚本体内に、表面ツラ位置に収納する方法ではなく、その表板部は食器棚本体から、表板部の厚さ分だけ突出している傾向にある。
【０００４】
しかしながら、地震等による大きな揺れ、振動、衝撃時のことを考慮して食器棚、家具、箪笥等向けのドア開放、引き出しなどの飛び出しを防止できるタイプの前記食器棚本体から、表板部の厚さ分だけ突出している扉、引き出し向けのロック装置は見当たらない。
【０００５】
【特許文献１】特開平１１−１３１８８８
【特許文献２】特開平１１−２２５８３６
【特許文献３】特開平  ９−１３７７３
【発明の開示】
【発明が解決しようとする課題】
【０００６】
予想されている東海、東南海地震などに備えるといっても、いつ何時来るか予知、予測できない現状では、常時ロックされている状態が望ましい。
【０００７】
本発明のロック装置は、前記地震等による大きな揺れ、振動、衝撃による食器棚、家具、箪笥等の扉開放及び引き出しなどの飛び出しを防止しようとするものであって、
【０００８】
都度、常時ロックされ、あらためてロックする必要も、手間も掛からないこと。
【０００９】
併せて食器棚、家具、箪笥等のデザイン及び機能を損なわず、
【００１０】
既存の食器棚、家具、箪笥等にも後付け可能な小型のロック装置であること。
【課題を解決するための手段】
【００１１】
予想される東海、東南海地震といってもいつ何時来るか予知、予測できない現状では、平時から常時ロックされている状態が望ましい、
【００１２】
従って本発明のロック装置は扉、引き出しの開閉の都度ロックされる構造、構成であって、あらためてロックするなどの手間が掛からないロック装置、
【００１３】
また既存の前記家具等に後付け可能なロック装置を、家具等のデザイン及び機能を損なわずに、容易に設置できる小型ロック装置をシンプルに、最少の部品点数で提供する。
【発明の効果】
【００１４】
本発明のロック装置は、予想されている東海、東南海地震などに対して、いつ何時来るか予知、予測できない現状で今、個々人にできる、又しなければならない一つの減災対策となる。
【００１５】
本発明のロック装置は、地震等による大きな揺れ、振動、衝撃による食器棚、家具、箪笥等の扉開放、及び引き出しなどの飛び出しを防止しようとするものであって、通常前記扉、引き出しは開閉の都度、自動的にロックされる仕組みであり、
【００１６】
平常時、無意識の開閉行為の範囲内でロックされ、あらためてロックする必要も手間も掛からず、またロックの掛け忘れも起こらない構造、構成である。
【００１７】
また本発明のロック装置は、既存の食器棚、家具、箪笥等にも対応、後付け可能な、容易に設置できるシンプルな小型ロック装置である。
【発明を実施するための最良の形態】
【００１８】
新造の家具、箪笥等を対象の扉、引き出し用の小型ロック装置であって、ロック装置本体を前記扉、引き出しの前表板内側に設置し、ロック装置本体から伸びるロック軸と、外側（家具、箪笥等の前面）に取り付けられる、扉、引き出しの開閉用の取っ手、操作ツマミ或いは操作レバーを連結したロック装置である。
【００１９】
また、既存の前記家具等にも容易に後付け可能な小型ロック装置を、デザイン及び機能を損なうことなく、シンプルに最少の部品点数で実現した。
【実施例１】
【００２０】
以下、本発明のロック装置の実施形態を図面に基づいて説明する
図５の（イ）は食器棚に組込まれた、表板突出タイプの引き出しに装着され、引き出しを閉められる直前の状況であって、（ロ）は開き扉に装着（ハ）は引き出しへの装着の場合の位置、形態を示す斜視図である
【００２１】
図１の（イ）ロック装置本体２６の正面図で、ロック軸５の頭部１７とフック軸１２の当接、噛合う状態を示すものであって、図１の（イ）図４の（イ）に示すようにロック軸５の頭部１７は円板の一部1/4を切り欠きされている
【００２２】
一方、本体ケース１に設けられたフック軸摺動溝２８に嵌込まれているフック軸１２は、基本的に直方体でその一方をロック軸５の頭部１７の切欠き部に当接し、ロック軸５の回動により上下移動させるため図３の（イ）（ロ）（ハ）（ニ）に示すようにその一部はL字形をしており、他方フック軸１２の先端部、フック軸の爪１３部分の断面はフック軸全厚みの2/5程度が切欠きされており、そのことによって、扉、引き出しの収納側本体の桟等に装着される座金のフック部爪係止用凹孔スペースの外枠、幅員を確保している。
【００２３】
また前記フック軸１２のL字部はロック軸頭部１７の直径と同等の長さを持ち、フック軸１２の摺動をフリーにし、扉、引き出しを閉める時ロック軸５に影響を与えることなく、フック軸１２の上下動が可能になり、平常時、扉、引き出しを閉める都度ロックすることを可能にする。
【００２４】
前記ロック軸５を取っ手ツマミ（又はレバー）側から右に回動（図面では左回動）することによってフック軸１２のL字部はロック軸頭部１７の切欠き部の回動により上方にスプリング３に抗して移動し、フック軸爪１３はフック軸摺動溝函２８内に格納される
【００２５】
前記フック軸１２は図１の（イ）に示すように、本体ケース１とフック軸１２のL字部（フック兼ストッパー１４）間に装着されているスプリング３によって双方に当接し弾圧し合い、フック軸爪１３に上方向に力が加わった場合（引き出しを閉める時）は単独で上下動し、フック軸ストッパー２によって動く幅は制限される。また通常前記フック軸ストッパー２は、ロック軸５の戻し回転を制御するロック軸逆転ストッパー部１５と当接、ロック軸５の静止位置を決定している
【００２６】
ロック軸５は図４に示すように、その頭部の円板の一部1/4を切欠きされたロック軸頭部１７を最大径に、本体ケース１１の筒部に挿通部を最少径として、前記のその中間部に中間径、段差を設けてツマミ（又はレバー）戻し用スプリング４を装着するとともに、図１の（ロ）に示すようにこの段差によって本体ケース１１側へのストッパーとしロック軸を安定させる
【００２７】
図５のロック装置本体２６から突出しているロック軸５と取っ手ツマミ（又はレバー）１０は、ビス８によって連結固定し、連結当接部には空転止め突起７を有して空転防止と取っ手の交換を容易にしている
【００２８】
一方、図５の食器棚本体２５側の桟２４に装着するフック係止用座金１９は、前記ロック装置本体の装着位置に対応する位置に取り付ける部品であって、前記フック係止用座金１９には、ロック装置本体２６から突出しているフック軸爪１３に当接、係止する位置にフック部爪係止用凹孔２０を有し、前記食器棚本体２５側の桟２４等に傷がつくのを予防すると同時にこれを補強する
【００２９】
また図５の（イ）引き出しの場合には、引き出しの底板２７とロック装置本体２６の接触部分を前記ロック装置本体２６の接触部形状に合わせてくり抜く、又は切削されている
【００３０】
図５の（イ）の表板本体固定ナット６は、ロック装置本体２６を扉、引き出し表板２２に固定するものであって、必ずしも必要としないが有するほうが望ましい
【産業上の利用可能性】
【００３１】
本発明のロック装置は、予想されている東海、東南海地震などに対して、いつ何時来るか予知、予測できないからこそ、今、個々人にできる一つの減災対策であって、本発明のロック装置は、新造及び既存の食器棚、家具、箪笥等にも後付け可能な、容易に設置できるシンプルな小型ロック装置である。
【図面の簡単な説明】
【００３２】
【図１】ロック装置本体の三面図で、（イ）は正面図、（ロ）は側断面図、（ハ）は下面図である
【図２】食器棚等本体側のフック係止用座金１９の三面図で、（イ）は正面図、（ロ）は側断面図、（ハ）は下面図である
【図３】フック軸１２の三面図で、（イ）は正面図、（ロ）は側断面図、（ハ）は下面図であって、（ニ）はその全体の斜視図である
【図４】ロック軸５の三面図で、（イ）は正面図、（ロ）は側断面図、（ハ）は下面図であって、（ニ）はその全体斜視図である
【図５】ロック装置の設置例で（イ）は本体設置部分の断面図、（ロ）は引き出しへの設置例、（ハ）は開き扉への設置例である
【符号の説明】
【００３３】
１    本体ケース１
２    フック軸ストッパー
３    スプリング１
４    スプリング２
５    ロック軸
６    表板への本体固定ナット
７    空転止め突起
８    ビス
９    ビス隠しキャップ
１０  取っ手ツマミ（又はレバー）
１１  本体ケース２
１２  フック軸
１３  フック軸爪
１４  フック兼ストッパー
１５  ロック軸逆回転ストッパー部
１６  本体取付け孔
１７  ロック軸頭部
１８  本体組み立て用ビス
１９  フック係止用座金
２０  フック部爪係止用凹孔
２１  座金取付け孔
２２  引き出し表板
２３  引き出し内部側
２４  食器棚の桟
２５  食器棚本体
２６  ロック装置本体
２７  引き出しの底板
２８  フック軸摺動溝、函
【図１】
2006314364.tif 000003
【図２】
2006314364.tif 000004
【図３】
2006314364.tif 000005
【図４】
2006314364.tif 000006
【図５】
2006314364.tif 000007
【手続補正書】
【提出日】平成17年9月26日(2005.9.26)
【手続補正１】
【補正対象書類名】特許請求の範囲
【補正対象項目名】全文
【補正方法】変更
【補正の内容】
【特許請求の範囲】
【請求項１】
次の構造、構成からなる食器棚、家具箪笥等の扉、引き出し用のロック装置。
１．   ロック装置本体を扉、引き出しの表板内側から装着、ロック装置本体から突出し、扉、引き出しの表板を貫通、延伸しているロック軸と扉、引き出しの表板外側に装着されている取っ手ツマミ（又はレバー）とを連結固定し、前記取っ手ツマミ（又はレバー）を操作することによって、常時係止されている状態のロックが解除される構造、構成の食器棚、家具箪笥等の、扉、引き出し用のロック装置であって
２．   本体ケース１は、ロック軸頭部の回動スペースとフック軸摺動溝スペースを有し、本体ケース２には、本体ケース１腹部平面に対しT字状に突出しているロック軸を挿通、貫通回動可能の筒部を有し、本体ケース１、２を合体した時、ロック軸下部にフック軸摺動溝、函を構成してロック装置本体の外形を構成する
３．   本体ケース１には、円板の一部1/4程度を切欠きされたロック軸頭部を中央に配置、フック軸のストッパー部が前記1/4の切欠き部に噛み合う形に当接するように儲けられ、ロック軸頭部の回動によりフック軸を移動、摺動することでロックを解除する仕組みであって、前記ロック軸頭部の水平方向に延在するようにフック軸摺動溝を設け、他方前記フック軸のストッパー部と当接して本体ケース１との間にフック軸戻し用のスプリングを配置、装着している
４．   前記フック軸の軸部形状は基本的には直方体で、その先端部の爪部分の側断面は緩やかな弧を描いたテーパー状に切削されており、扉、引き出しを閉じる時のフック軸の摺動を軽く滑らかにする。またフック軸の爪部分の断面はフック軸全厚みの程度一部2/5程度が切欠きされており、そのことによって、扉、引き出しの収納側本体の桟等に装着される座金のフック部爪係止用凹孔スペースの外枠、幅員を確保している
５．   本体ケース２は、前記本体ケース１に対応、前記1/4程度を切欠きされた円板状ロック軸頭部を有するロック軸を挿通、回動出来て、貫通する筒部を有し、前記ロック軸は３段階の太さで、前記1/4を切欠きされたロック軸頭部を最大径とし、前記筒部を最少径とし、前記のその中間部に中間径、段差を設けている（ロック軸頭部径＞中間部径＞筒部径）。中間径部分は前記筒部の本体ケース１側にあって前記筒部が前記の段差によって本体ケース２側に対するストッパーとなり、そのロック軸に戻し回転力を与えるスプリングを装着している
６．   他方ロック装置本体から、扉、引き出しの表板を貫通し、本体ケース２の筒部から突出するロック軸の中央に雌螺旋及び空回り止め突起を設け、取っ手ツマミ（又はレバー）をビスで取付け固定し、ロック軸と連結、連動してロック解除の操作を可能とする
７．   一方、扉、引き出しの収納側本体の桟等には、前記扉、引き出しを閉じた時に、ロック装置本体から突出しているフック軸爪部分で係止、当接部となる位置にフック部爪係止用凹孔を有する座金を装着、前記収納側本体の桟等に傷がつくのを予防すると同時に補強する